(57)【要約】【課題】更新された状態とユーザが見た状態との両方を一見して把握可能なページを表示する情報表示装置、方法及びサーバを提供する。【解決手段】随時に更新されるニュース記事を含むＷｅｂページを表示するユーザ端末１は、ユーザ端末１に表示されたＷｅｂページのニュース記事を表示ログとして、表示ログＤＢ２１に書き込む表示ログ書込手段１７と、表示ログＤＢ２１から表示ログを読み出す表示ログ読出手段１５と、読み出した表示ログに基づいて、以前に表示したＷｅｂページから後に更新されたニュース記事を含んで、Ｗｅｂページを表示する更新内容表示手段１６と、を備える。【選択図】図１
2011180647.tif 000002
【特許請求の範囲】
【請求項１】
随時に更新される情報項目を含むページを表示する情報表示装置であって、
前記情報表示装置に表示された前記ページの前記情報項目を表示ログとして、前記情報表示装置の記憶領域に書き込む表示ログ書込手段と、
前記情報表示装置の記憶領域から前記表示ログを読み出す表示ログ読出手段と、
読み出した前記表示ログに基づいて、以前に表示した前記ページから後に更新された前記情報項目を含んで、前記ページを表示する更新内容表示手段と、
を備える情報表示装置。
【請求項２】
前記ページの要求操作を受け付けたことに応じて、前記ページに関する更新データを時系列に記憶したサーバに対して、全ての前記更新データを要求して受信する更新データ受信手段を備え、
前記更新内容表示手段は、受信した前記全ての更新データと、前記表示ログ読出手段が読み出した前記表示ログとに基づいて、以前に表示した前記ページから後に更新された前記情報項目を含んで、前記ページを表示する、
請求項１に記載の情報表示装置。
【請求項３】
前記ページの要求操作を受け付けたことに応じて、前記表示ログ読出手段が読み出した前記表示ログに基づいて、前記ページに関する更新データを時系列に記憶したサーバに対して、前記ページの前記情報項目のうち以前の表示から更新されたものを含む更新データを要求して受信する更新データ受信手段を備え、
前記更新内容表示手段は、受信した前記更新データに基づいて前記ページを表示する、
請求項１に記載の情報表示装置。
【請求項４】
前記更新データ受信手段は、前記サーバで前記情報項目が更新された都度に作成される、更新日時を含む前記更新データを受信し、
前記更新内容表示手段は、受信した前記更新データに基づいて前記更新日時の順番で前記ページを表示する、
請求項２又は請求項３に記載の情報表示装置。
【請求項５】
前記更新内容表示手段は、前記更新された前記情報項目を識別可能にして前記ページを表示する、
請求項１から請求項４までのいずれかに記載の情報表示装置。
【請求項６】
随時に更新される情報項目を含むページを表示する情報表示装置による情報表示方法であって、
前記情報表示装置に表示された前記ページの前記情報項目を表示ログとして、前記情報表示装置の記憶領域に書き込むステップと、
前記情報表示装置の記憶領域から前記表示ログを読み出すステップと、
読み出した前記表示ログに基づいて、以前に表示した前記ページから後に更新された前記情報項目を含んで、前記ページを表示するステップと、
を含む情報表示方法。
【請求項７】
随時に更新される情報項目を含むページに関する更新データを記憶したサーバであって、
前記ページを表示する情報表示装置から前記ページに関する更新データの要求を受信する更新データ要求受信手段と、
前記更新データ要求受信手段により受信した前記要求に応じて、前記情報表示装置において前記更新データに基づく表示をした際に表示された前記情報項目を、その記憶領域に記憶可能な形式で、前記更新データを送信する更新データ送信手段と、
を備えるサーバ。
【発明の詳細な説明】
【技術分野】
【０００１】
本発明は、ページを表示する情報表示装置、方法及びサーバに関する。
【背景技術】
【０００２】
従来、ホームページ等において、ニュースやブログ等の記事が更新された場合に、その記事が新しいということを一見して把握できるように、「ＮＥＷ」等のアイコンを表示を付して表示させる手法が開示されている（例えば、非特許文献１）。
【０００３】
また、Ｗｅｂページが更新された場合に、更新情報を抽出して配信する情報配信システムが開示されている（例えば、特許文献１）。
【先行技術文献】
【特許文献】
【０００４】
【特許文献１】特開２００８−７１１１６号公報
【非特許文献】
【０００５】
【非特許文献１】“ｌｉｖｅｄｏｏｒホームページ”、［ｏｎｌｉｎｅ］、［平成２２年１月２５日検索］、インターネット＜ＵＲＬ：ｈｔｔｐ：／／ｗｗｗ．ｌｉｖｅｄｏｏｒ．ｃｏｍ／＞
【発明の概要】
【発明が解決しようとする課題】
【０００６】
非特許文献１に示されるページは、例えば、現在日時より過去３時間に作成された記事である等の基準によって、新しく登録された記事のカテゴリに対して「ＮＥＷ」のアイコンを付して表示している。よって、その記事が新しいものであることをユーザが把握することは、容易であった。しかし、基準内であれば、ユーザが一度見た記事であってそのユーザにとっては新しくないものであっても「ＮＥＷ」のアイコンが付されていた。よって、「ＮＥＷ」のアイコンは、ユーザが見た状態を反映するものではなかった。
【０００７】
また、特許文献１に記載の情報配信システムは、Ｗｅｂページの更新情報を抽出して配信用更新情報を生成して出力装置に配信するので、更新情報のみを提供するものであった。
【０００８】
本発明は、更新された状態とユーザが見た状態との両方を一見して把握可能なページを表示する情報表示装置、方法及びサーバを提供することを目的とする。
【課題を解決するための手段】
【０００９】
本発明者らは、ユーザ端末等の情報表示装置に表示した情報項目を保存及び比較して、保存されていない情報項目を表示することを見出し、本発明を完成するに至った。本発明は、具体的には次のようなものを提供する。
【００１０】
（１）  随時に更新される情報項目を含むページを表示する情報表示装置であって、前記情報表示装置に表示された前記ページの前記情報項目を表示ログとして、前記情報表示装置の記憶領域に書き込む表示ログ書込手段と、前記情報表示装置の記憶領域から前記表示ログを読み出す表示ログ読出手段と、読み出した前記表示ログに基づいて、以前に表示した前記ページから後に更新された前記情報項目を含んで、前記ページを表示する更新内容表示手段と、を備える情報表示装置。
【００１１】
本発明のこのような構成によれば、情報表示装置は、ページの情報項目を表示することで、その情報項目を表示ログとして記憶領域に書き込み、次にページを表示する際に、記憶領域に書き込んだ表示ログに基づいて、以前に表示したページから後に更新された情報項目を含んでページを表示する。よって、情報表示装置は、記憶領域に有する表示ログによって、ユーザが以前に表示したページから今回までどのように変遷したかを表示することができる。
【００１２】
（２）  前記ページの要求操作を受け付けたことに応じて、前記ページに関する更新データを時系列に記憶したサーバに対して、全ての前記更新データを要求して受信する更新データ受信手段を備え、前記更新内容表示手段は、受信した前記全ての更新データと、前記表示ログ読出手段が読み出した前記表示ログとに基づいて、以前に表示した前記ページから後に更新された前記情報項目を含んで、前記ページを表示する、（１）に記載の情報表示装置。
【００１３】
本発明のこのような構成によれば、情報表示装置は、ページに関する更新データを時系列に記憶したサーバから全ての更新データを受信し、更新データと、表示ログとに基づいて、以前に表示したページから後に更新された情報項目を含んで、ページを表示する。よって、ページの全ての更新データをサーバから受信することで、情報表示装置は、以降サーバとの通信を不要として、その後の処理を行うことができる。
【００１４】
（３）  前記ページの要求操作を受け付けたことに応じて、前記表示ログ読出手段が読み出した前記表示ログに基づいて、前記ページに関する更新データを時系列に記憶したサーバに対して、前記ページの前記情報項目のうち以前の表示から更新されたものを含む更新データを要求して受信する更新データ受信手段を備え、前記更新内容表示手段は、受信した前記更新データに基づいて前記ページを表示する、（１）に記載の情報表示装置。
【００１５】
本発明のこのような構成によれば、情報表示装置は、表示ログに基づいてサーバに更新データを要求し、ページに関する更新データを時系列に記憶したサーバから、ページの情報項目のうち以前の表示から更新されたものを含む更新データを受信することで、受信した更新データに基づいてページを表示する。よって、情報表示装置は、ページを表示する都度、必要な更新データをサーバから取得することで、常に更新データのみを含んだページを表示できる。
【００１６】
（４）  前記更新データ受信手段は、前記サーバで前記情報項目が更新された都度に作成される、更新日時を含む前記更新データを受信し、前記更新内容表示手段は、受信した前記更新データに基づいて前記更新日時の順番で前記ページを表示する、（２）又は（３）に記載の情報表示装置。
【００１７】
本発明のこのような構成によれば、更新データは、更新日時を含むので、情報表示装置は、情報項目を含んだページを情報項目の更新日時の順番で表示できる。
【００１８】
（５）  前記更新内容表示手段は、前記更新された前記情報項目を識別可能にして前記ページを表示する、（１）から（４）までのいずれかに記載の情報表示装置。
【００１９】
本発明のこのような構成によれば、情報表示装置は、更新された情報項目を識別可能にしてページを表示する。よって、情報表示装置は、更新された状態とユーザが見た状態との両方を一見して把握可能なページを表示することができる。
【００２０】
（６）  随時に更新される情報項目を含むページを表示する情報表示装置による情報表示方法であって、
前記情報表示装置に表示された前記ページの前記情報項目を表示ログとして、前記情報表示装置の記憶領域に書き込むステップと、
前記情報表示装置の記憶領域から前記表示ログを読み出すステップと、
読み出した前記表示ログに基づいて、以前に表示した前記ページから後に更新された前記情報項目を含んで、前記ページを表示するステップと、
を含む情報表示方法。
【００２１】
本発明のこのような構成によれば、情報表示方法は、（１）と同様の効果を奏することができる。
【００２２】
（７）  随時に更新される情報項目を含むページに関する更新データを記憶したサーバであって、
前記ページを表示する情報表示装置から前記ページに関する更新データの要求を受信する更新データ要求受信手段と、
前記更新データ要求受信手段により受信した前記要求に応じて、前記情報表示装置において前記更新データに基づく表示をした際に表示された前記情報項目を、その記憶領域に記憶可能な形式で、前記更新データを送信する更新データ送信手段と、
を備えるサーバ。
【００２３】
本発明のこのような構成によれば、サーバによって情報表示装置に（２）及び（３）と同様の効果を奏させることができる。
【発明の効果】
【００２４】
本発明によれば、更新された状態とユーザが見た状態との両方を一見して把握可能なページを表示する情報表示装置、方法及びサーバを提供することができる。
【図面の簡単な説明】
【００２５】
【図１】第１実施形態に係るＷｅｂシステムの全体構成並びにユーザ端末及びＷｅｂサーバの機能構成を示す図である。
【図２】第１実施形態に係るＷｅｂページの表示例を示す図である。
【図３】第１実施形態に係る更新データＤＢの例を示す図である。
【図４】第１実施形態に係るＷｅｂシステムのフローチャートである。
【図５】第１実施形態に係るＷｅｂページのコンテンツ表示部の表示例を示す図である。
【図６】第２実施形態に係るＷｅｂシステムの全体構成並びにユーザ端末及びＷｅｂサーバの機能構成を示す図である。
【図７】第２実施形態に係るＷｅｂシステムのフローチャートである。
【発明を実施するための形態】
【００２６】
以下、本発明を実施するための形態について、図を参照しながら説明する。なお、これは、あくまでも一例であって、本発明の技術的範囲はこれに限られるものではない。
【００２７】
（第１実施形態）
［Ｗｅｂシステム１００の全体構成並びにユーザ端末１及びＷｅｂサーバ３の機能構成］
図１は、第１実施形態に係るＷｅｂシステム１００の全体構成並びにユーザ端末１及びＷｅｂサーバ３の機能構成を示す図である。図２は、第１実施形態に係るＷｅｂページ４０の表示例を示す図である。図３は、第１実施形態に係る更新データＤＢ３６の例を示す図である。
【００２８】
図１に示すＷｅｂシステム１００は、複数のユーザ端末１（情報表示装置）と、Ｗｅｂサーバ３（サーバ）と、通信ネットワーク９とにより構成される。
【００２９】
ユーザ端末１は、Ｗｅｂサーバ３から受信したＷｅｂページ（ページ）に関する更新データに基づいて、Ｗｅｂページを表示する。ユーザ端末１は、例えば、パーソナルコンピュータ（ＰＣ）や、携帯電話機等の携帯端末である。ユーザ端末１は、通信機能を有し、Ｗｅｂページが閲覧できる端末であれば、どのような装置であってもよい。ユーザ端末１は、制御部１０と、記憶部２０と、操作部２６と、表示部２８とを備える。
【００３０】
制御部１０は、Ｗｅｂページ要求送信手段１１と、Ｗｅｂページ受信手段１２（更新データ受信手段）と、Ｗｅｂページ表示手段１３と、更新表示要求受付手段１４と、表示ログ読出手段１５と、更新内容表示手段１６と、表示ログ書込手段１７とを備える。
【００３１】
Ｗｅｂページ要求送信手段１１は、Ｗｅｂページの要求の操作を操作部２６から受け付けたことで、Ｗｅｂページの要求をＷｅｂサーバ３に対して送信する制御部である。Ｗｅｂページの要求には、Ｗｅｂページデータとして、Ｗｅｂページのレイアウトデータ及び更新データの要求を含む。更新データとは、Ｗｅｂページに配置されて表示されるコンテンツのデータをいい、コンテンツが追加・更新・削除等されるごとに作成されるデータである。更新データは、作成された日時の情報を含む。また、コンテンツは、随時に更新されるものであることが好ましく、例えば、ニュース等の記事、ブログの記事、オークションの出品物等である。以降、ここでは、ニュース記事を例に、コンテンツを説明する。
【００３２】
Ｗｅｂページ受信手段１２は、Ｗｅｂページ要求送信手段１１によって送信したＷｅｂページの要求に対応したＷｅｂページデータを受信する制御部である。Ｗｅｂページ受信手段１２は、更新データＤＢ３６（ＤＢ：データベース）に記憶された全ての更新データを受信する。
【００３３】
Ｗｅｂページ表示手段１３は、Ｗｅｂページ受信手段１２により受信したＷｅｂページデータに基づき、Ｗｅｂページ４０を表示部２８に表示させる制御部である。図２（ａ）は、Ｗｅｂページ受信手段１２によってＷｅｂページデータを受信した際に表示されるＷｅｂページ４０を示す。Ｗｅｂページ４０は、レイアウトデータにより生成されたベース部４１に、更新データにより生成された更新内容表示部４２が配置されている。更新内容表示部４２は、ニュース記事のカテゴリごとにタグが付された領域であり、コンテンツ表示部４３と、更新表示ボタン４４とを配置する。コンテンツ表示部４３には、更新データのうち最新日時のものが上位に配置されるように、ニュース記事の要約を配置する。更新表示ボタン４４については、後述する。
【００３４】
図２（ａ）に示すＷｅｂページ４０は、コンテンツ表示部４３に表示された要約に対応するニュース記事の内容が新しいものを「ＮＥＷ」と書かれたアイコンによって示している。つまり、「ＮＥＷ」のアイコンが付された要約のニュース記事は、新しい記事であることが分かる。しかし、コンテンツ表示部４３の表示において、ユーザが既にそのニュース記事を見たものであるか否かの区別は分からない。
【００３５】
図１に戻り、更新表示要求受付手段１４は、操作部２６によるユーザからの操作によって、例えば、ユーザが図２（ａ）の更新表示ボタン４４を選択することで、更新表示要求を受け付ける制御部である。
【００３６】
表示ログ読出手段１５は、表示ログＤＢ２１から表示ログを読み出す制御部である。表示ログとは、ニュース記事の内容が表示部２８に表示されたことで表示ログＤＢ２１に記憶された、そのニュース記事そのものをいう。つまり、表示ログ読出手段１５は、ユーザ端末１で閲覧されたニュース記事を読み出す。
【００３７】
更新内容表示手段１６は、表示ログ読出手段１５で読み出した表示ログに基づいて、以前にユーザ端末１で表示したＷｅｂページに含まれたニュース記事から今回のＷｅｂページを表示するまでに更新されたニュース記事を含んで、Ｗｅｂページを表示部２８に表示する制御部である。
【００３８】
図２（ｂ）は、更新内容表示手段１６によって表示部２８に表示されるＷｅｂページ４０を示す。図２（ｂ）のＷｅｂページ４０は、図２（ａ）のＷｅｂページ４０と比較して、コンテンツ表示部４３に表示されたニュース記事のうち、２つの記事４５に対して網掛けが付されている。網掛けされた記事４５は、ユーザが見ていないニュース記事に対して施された識別情報である。このようにすることで、コンテンツ表示部４３の表示において、ユーザが以前にそのニュース記事を見たか否かの区別をすることができるので、ユーザは、一見して自身が見たニュース記事であるか否かを識別できる。
【００３９】
図１に戻り、表示ログ書込手段１７は、表示ログとして、ユーザが見たＷｅｂページのニュース記事を表示ログＤＢ２１に書き込む制御部である。ユーザが見たＷｅｂページのニュース記事とは、更新内容表示手段１６において表示されたニュース記事の要約がユーザ端末１の操作部２６を介して選択されることで、ニュース記事の内容が表示部２８に表示されたものをいう。
【００４０】
記憶部２０は、表示ログＤＢ２１と、Ｗｅｂブラウザ２３とを備える。
【００４１】
表示ログＤＢ２１は、表示部２８に表示されたＷｅｂページのニュース記事を記憶する記憶領域である。
【００４２】
Ｗｅｂブラウザ２３は、ユーザ端末１でＷｅｂページを表示させるために用いるアプリケーションソフトウェアである。
【００４３】
第１実施形態のユーザ端末１のハードウェアは、一般的なコンピュータによって構成してもよい。一般的なコンピュータは、例えば、制御部１０として、中央処理装置（ＣＰＵ）を備える他、記憶部２０として、メモリ（ＲＡＭ、ＲＯＭ）、ハードディスク（ＨＤＤ）及び光ディスク（ＣＤ、ＤＶＤ等）を、ネットワーク通信装置として、各種有線及び無線ＬＡＮ装置を、表示部２８として、例えば、液晶ディスプレイ、プラズマディスプレイ等の各種ディスプレイといった表示装置を、操作部２６として、例えば、キーボード及びポインティング・デバイス（マウス、トラッキングボール等）といった入力装置を適宜備え、これらは、バスラインにより接続されている。このような一般的なコンピュータにおいて、ＣＰＵは、ユーザ端末１を統括的に制御し、各種プログラムを適宜読み出して実行することにより、上述したハードウェアと協働し、本実施形態に係る各種機能を実現している。
【００４４】
Ｗｅｂサーバ３は、Ｗｅｂページのレイアウトデータと、そのＷｅｂページに表示するニュース記事の更新データとを記憶し、ユーザ端末１からの要求にしたがってＷｅｂページのレイアウトデータ及び更新データをＷｅｂページデータとして送信する装置である。Ｗｅｂサーバ３のハードウェアは、一般的なコンピュータによって構成してよい。Ｗｅｂサーバ３は、制御部３０と、記憶部３５とを備える。
【００４５】
制御部３０は、Ｗｅｂページ要求受信手段３１（更新データ要求受信手段）と、Ｗｅｂページ送信手段３２（更新データ送信手段）とを備える。
【００４６】
Ｗｅｂページ要求受信手段３１は、ユーザ端末１から送信されたＷｅｂページの要求を受信する制御部である。
【００４７】
Ｗｅｂページ送信手段３２は、Ｗｅｂページの要求に応じて、更新データＤＢ３６に記憶されている全ての更新データ及びページレイアウトＤＢ３７に記憶されているレイアウトデータを、ユーザ端末１に対して送信する制御部である。
【００４８】
記憶部３５は、更新データＤＢ３６と、ページレイアウトＤＢ３７とを備える。
【００４９】
更新データＤＢ３６は、例えば、過去１０日分等の所定の期間分の更新データを記憶するＤＢである。図３に一例を示す更新データＤＢ３６は、カテゴリ３６ａと、コンテンツ番号３６ｂと、コンテンツの要約３６ｃと、コンテンツの内容３６ｄと、記事日時３６ｅとを有する。カテゴリ３６ａには、ニュース記事が属するカテゴリを格納する。１つのニュース記事に対して格納するカテゴリは、２つ以上であってもよい。このカテゴリに応じて、更新内容表示部４２のカテゴリが決定される。コンテンツ番号３６ｂには、ニュース記事を一意に表す記号を格納する。コンテンツの要約３６ｃには、ニュース記事の要約を格納する。この要約は、コンテンツ表示部４３（図２参照）に表示される。コンテンツの内容３６ｄには、ニュース記事の内容を格納する。コンテンツ表示部４３に表示された記事の要約が選択されることで、表示部２８には、要約に対応するニュース記事の内容が表示される。記事日時３６ｅには、例えば、更新データＤＢ３６に記憶された日時を格納する。記事日時３６ｅに格納される日時は、その他、ニュース記事を作成した日時であってもよい。日時は、その記事の新鮮度を表す。
【００５０】
図１に戻り、ページレイアウトＤＢ３７は、Ｗｅｂページのレイアウトデータを記憶するＤＢである。Ｗｅｂページのレイアウトデータは、具体的には、例えば、ＣＳＳ（Ｃａｓｃａｄｉｎｇ  Ｓｔｙｌｅ  Ｓｈｅｅｔｓ）等が挙げられるが、これに限られない。ページレイアウトＤＢ３７に記憶されたＷｅｂページのレイアウトデータによってＷｅｂページのレイアウトを形成し、更新データＤＢ３６に記憶された更新データをＷｅｂページのレイアウトの所定の位置に配置することで、Ｗｅｂページが表示される。なお、Ｗｅｂページのレイアウトデータは、更新データの一部として更新データＤＢ３６に記憶することとしてもよい。
【００５１】
通信ネットワーク９は、ユーザ端末１と、Ｗｅｂサーバ３との間で通信を行うための、例えば、インターネット等の通信回線である。通信ネットワーク９は、有線であってもよいし、その一部又は全部が無線であってもよい。
【００５２】
［Ｗｅｂシステム１００の処理］
次に、Ｗｅｂシステム１００の処理について説明する。図４は、第１実施形態に係るＷｅｂシステム１００のフローチャートである。図５は、第１実施形態に係るＷｅｂページ４０のコンテンツ表示部４３の表示例を示す図である。
【００５３】
図４のＳ１：ユーザ端末１の制御部１０（Ｗｅｂページ要求送信手段１１）は、Ｗｅｂページの要求をＷｅｂサーバ３に対して送信する。
【００５４】
Ｓ２：Ｗｅｂサーバ３の制御部３０（Ｗｅｂページ要求受信手段３１）は、ユーザ端末１から送信されたＷｅｂページの要求を受信する。
【００５５】
Ｓ３：制御部３０（Ｗｅｂページ送信手段３２）は、要求に対応したＷｅｂページを構成するＷｅｂページデータをユーザ端末１に対して送信する。ここで、Ｗｅｂページデータは、更新データＤＢ３６に記憶された全ての更新データと、Ｗｅｂページのレイアウトデータとを含む。
【００５６】
Ｓ４：ユーザ端末１の制御部１０（Ｗｅｂページ受信手段１２）は、Ｗｅｂサーバ３から送信されたＷｅｂページデータを受信する。
【００５７】
Ｓ５：制御部１０（Ｗｅｂページ表示手段１３）は、受信したＷｅｂページデータに基づいてＷｅｂページを生成して、Ｗｅｂページを表示部２８に表示させる（図２（ａ）参照）。
【００５８】
Ｓ６：制御部１０（更新表示要求受付手段１４）は、更新表示の選択を受け付けたか否かを判断する。更新表示の選択を受け付けた場合（Ｓ６：ＹＥＳ）には、制御部１０は、処理をＳ７に移す。他方、更新表示の選択を受け付けていない場合（Ｓ６：ＮＯ）には、制御部１０は、処理をＳ１０に移す。
【００５９】
Ｓ７：制御部１０（表示ログ読出手段１５）は、表示ログＤＢ２１に記憶された表示ログを読み出す。
【００６０】
Ｓ８：制御部１０（更新内容表示手段１６）は、比較処理を行う。比較処理として、制御部１０は、表示ログ読出手段１５により読み出された表示ログと、Ｗｅｂページ受信手段１２により受信したＷｅｂページデータに含まれる更新データとを比較して、更新データに存在し、表示ログに存在しないニュース記事を抽出する。
【００６１】
Ｓ９：制御部１０（更新内容表示手段１６）は、Ｗｅｂページを更新する。そして、比較処理にて抽出されたニュース記事を識別可能に表示する。図５（ａ）に示すコンテンツ表示部４３は、網掛けされた記事５１と記事５２との濃淡が異なる。これは、更新日時のより新しい記事５１は、濃い網掛けを付していることによる。また、図５（ｂ）に示すコンテンツ表示部４３は、図５（ａ）と同様の濃淡が異なる網掛けがされた記事５１と記事５２とを優先的に、かつ、更新日時の新しい順番に表示した例である。
【００６２】
このように、更新データは、更新日時を含むので、ユーザ端末１は、ニュース記事を含んだＷｅｂページ４０をニュース記事の更新日時の順番で表示できる。
【００６３】
その他、比較処理にて抽出されたニュース記事を識別可能に表示する他の方法として、ニュース記事の要約自体の文字列の色をより新しいものをより濃い色で表現する方法、ニュース記事の要約自体の文字列の大きさをより新しいものをより大きく表現する方法、ニュース記事の要約自体の文字列の太さをより新しいものをより太く表現する方法等、様々な方法が考えられる。
【００６４】
図４に戻り、Ｓ１０：制御部１０は、Ｗｅｂページ内のニュース記事が選択されたか否かを判断する。ニュース記事が選択された場合（Ｓ１０：ＹＥＳ）には、制御部１０は、処理をＳ１１に移す。他方、ニュース記事が選択されていない場合（Ｓ１０：ＮＯ）には、制御部１０は、本処理を終了する。
【００６５】
Ｓ１１：制御部１０は、選択されたニュース記事を表示部２８に表示させる。
【００６６】
Ｓ１２：制御部１０（表示ログ書込手段１７）は、表示部２８に表示したニュース記事を、表示ログＤＢ２１に書き込む。その後、制御部１０は、本処理を終了する。
【００６７】
このように、Ｗｅｂシステム１００は、ユーザ端末１がＷｅｂページのニュース記事の内容を表示することで、そのニュース記事の内容を表示ログとして表示ログＤＢ２１に書き込み、次にＷｅｂページを表示する際に、表示ログＤＢ２１に書き込んだ表示ログに基づいて、以前に表示したＷｅｂページから後に更新されたニュース記事を含んでＷｅｂページを表示する。よって、ユーザ端末１は、表示ログＤＢ２１に有する表示ログによって、ユーザが以前に表示したページから今回までどのように変遷したかを表示することができる。
【００６８】
また、Ｗｅｂシステム１００は、ユーザ端末１がＷｅｂサーバ３から全ての更新データを受信し、更新データと、表示ログとに基づいて、以前に表示したＷｅｂページから後に更新されたニュース記事を含んで、Ｗｅｂページを表示する。よって、Ｗｅｂページの全ての更新データをＷｅｂサーバ３から受信することで、ユーザ端末１は、以降にＷｅｂサーバ３との通信を不要として、その後の処理を行うことができる。
【００６９】
なお、図４では、Ｓ６において、制御部１０（更新表示要求受付手段１４）が更新表示の選択を受け付けたことに応じて、制御部１０が表示ログを読み出して更新内容を表示する例を示したが、これに限らない。例えば、制御部１０は、ユーザ端末１がユーザからの操作を受け付けることにより「更新表示モード」と「通常表示モード」とを交互に切り替えることとし、「更新表示モード」の場合には、Ｗｅｂページを表示する際に、常に更新内容を表示してもよい。
【００７０】
また、Ｓ１０において、制御部１０がユーザからニュース記事の選択を受け付けたことに応じて、制御部１０（表示ログ書込手段１７）が表示部２８に表示したニュース記事を表示ログに書き込む例を示したが、これに限らない。例えば、制御部１０がＳ５においてＷｅｂページ表示手段１３が受信したＷｅｂページデータに基づいてＷｅｂページを生成して、図２（ａ）に示すようなＷｅｂページ４０を表示部２８に表示させるたびに、制御部１０（表示ログ書込手段１７）は、表示部２８に表示したＷｅｂページを表示ログに書き込んでもよい。この場合には、Ｗｅｂサーバ３が個々のニュースを追加等したタイミングではなく、図２（ａ）に示すような、ニュース記事のタイトル（コンテンツの要約）をリストした画面が更新されるごとに更新データを記憶して、制御部１０は、その更新データをＷｅｂサーバ３から受信して、更新・追加されたニュース記事のタイトルについて表示ログと比較することにより、更新データに存在し、表示ログに存在しないニュース記事のタイトルを抽出してもよい。
【００７１】
（第２実施形態）
第１実施形態では、ユーザ端末のＷｅｂページ受信手段がＷｅｂページのレイアウトデータと、コンテンツに関する全ての更新データとを受信するものであった。第２実施形態では、ユーザ端末のＷｅｂページ受信手段がＷｅｂページのレイアウトデータと、コンテンツに関する最新の更新データとを受信し、その後、ユーザ端末の表示ログに基づいてＷｅｂサーバから必要な更新データを受信する例を説明する。なお、以降の説明において、上述した第１実施形態と同様の機能を果たす部分には、同一の符号又は末尾に同一の符号を付して、重複する説明を適宜省略する。
【００７２】
［Ｗｅｂシステム２００の全体構成並びにユーザ端末２０１及びＷｅｂサーバ２０３の機能構成］
図６は、第２実施形態に係るＷｅｂシステム２００の全体構成並びにユーザ端末２０１及びＷｅｂサーバ２０３の機能構成を示す図である。
【００７３】
ユーザ端末２０１が備える制御部２１０は、Ｗｅｂページ要求送信手段１１と、表示ログ読出手段１５と、更新内容表示手段１６と、表示ログ書込手段１７とを備える他、Ｗｅｂページ受信手段２１２と、更新データ要求送信手段２１８と、更新データ受信手段２１９とを備える。
【００７４】
Ｗｅｂページ受信手段２１２は、Ｗｅｂページ要求送信手段１１によって送信したＷｅｂページの要求に対応したＷｅｂページデータを受信する制御部である。Ｗｅｂページ受信手段２１２は、更新データＤＢ３６に記憶された所定個数の最新の更新データを受信する。ここで、所定個数とは、例えば、コンテンツ表示部４３（図２（ａ）参照）に表示可能な個数をいう。
【００７５】
更新データ要求送信手段２１８は、前回等、以前に表示した前回表示ログデータ（表示ログ）をＷｅｂサーバ２０３に送信することで、更新データの要求を送信する制御部である。
【００７６】
更新データ受信手段２１９は、Ｗｅｂサーバ２０３から更新データを受信する制御部である。
【００７７】
Ｗｅｂサーバ２０３が備える制御部２３０は、Ｗｅｂページ要求受信手段３１を備える他、Ｗｅｂページ送信手段２３２と、更新データ要求受信手段２３３と、更新データ送信手段２３４とを備える。
【００７８】
Ｗｅｂページ送信手段２３２は、Ｗｅｂページの要求に応じて、更新データＤＢ３６に記憶されている所定個数の最新の更新データと、ページレイアウトＤＢ３７に記憶されているレイアウトデータとを、ユーザ端末２０１に対して送信する制御部である。
【００７９】
更新データ要求受信手段２３３は、ユーザ端末２０１から送信された前回表示ログデータを含む更新データの要求を受信する制御部である。
【００８０】
更新データ送信手段２３４は、更新データの要求に含まれる前回表示ログデータに基づき、ユーザ端末２０１にその内容が表示されていない更新データをユーザ端末２０１に送信する制御部である。
【００８１】
［Ｗｅｂシステム２００の処理］
次に、Ｗｅｂシステム２００の処理について説明する。図７は、第２実施形態に係るＷｅｂシステム２００のフローチャートである。
【００８２】
Ｓ２０１：ユーザ端末２０１の制御部２１０（Ｗｅｂページ要求送信手段１１）は、Ｗｅｂページの要求をＷｅｂサーバ２０３に対して送信する。
【００８３】
Ｓ２０２：Ｗｅｂサーバ２０３の制御部２３０（Ｗｅｂページ要求受信手段３１）は、ユーザ端末２０１から送信されたＷｅｂページの要求を受信する。
【００８４】
Ｓ２０３：制御部２３０（Ｗｅｂページ送信手段２３２）は、Ｗｅｂページデータをユーザ端末２０１に対して送信する。ここで、Ｗｅｂページデータは、所定個数の最新の更新データと、Ｗｅｂページのレイアウトデータとを含む。
【００８５】
Ｓ２０４：ユーザ端末２０１の制御部２１０（Ｗｅｂページ受信手段２１２）は、Ｗｅｂサーバ２０３から送信されたＷｅｂページデータを受信する。
【００８６】
Ｓ２０５：制御部２１０（表示ログ読出手段１５）は、表示ログＤＢ２１に記憶された表示ログを読み出す。
【００８７】
Ｓ２０６：制御部２１０（更新データ要求送信手段２１８）は、更新データの要求をＷｅｂサーバ２０３に対して送信する。ここで、更新データの要求は、表示ログＤＢ２１に記憶された表示ログを含む。更新データ要求に含まれる表示ログは、以前にユーザ端末２０１で表示されたニュース記事であって、例えば、３日以内に表示されたもの等の切り分けがあってよい。
【００８８】
Ｓ２０７：Ｗｅｂサーバ２０３の制御部２３０（更新データ要求受信手段２３３）は、ユーザ端末２０１から送信された更新データの要求を受信する。
【００８９】
Ｓ２０８：制御部２３０（更新データ送信手段２３４）は、受信した更新データの要求に含まれる表示ログと、更新データＤＢ３６に記憶された更新データとに基づき、表示ログには含まれずに更新データＤＢ３６に記憶されている更新データを、ユーザ端末２０１に送信する。
【００９０】
Ｓ２０９：ユーザ端末２０１の制御部２１０（更新データ受信手段２１９）は、Ｗｅｂサーバ２０３から送信された更新データを受信する。
【００９１】
Ｓ２１０：制御部２１０（更新内容表示手段１６）は、受信した更新データと、その前に受信したＷｅｂページのレイアウトデータとに基づいてＷｅｂページを生成して表示部２８に表示する。そして、制御部２１０（更新内容表示手段１６）は、更新データから生成されるニュース記事を識別可能に表示する。
【００９２】
Ｓ２１１〜Ｓ２１３：図４のＳ１０〜Ｓ１２と同様である。
【００９３】
このように、Ｗｅｂシステム２００は、ユーザ端末２０１が表示ログに基づいてＷｅｂサーバ２０３に更新データを要求し、Ｗｅｂサーバ２０３から、Ｗｅｂページのニュース記事のうち以前の表示から更新されたものを含む更新データを受信することで、受信した更新データに基づいてＷｅｂページを表示する。よって、ユーザ端末２０１は、Ｗｅｂページを表示する都度、必要な更新データをＷｅｂサーバ２０３から取得することで、常に更新データのみを含んだＷｅｂページを表示できる。
【００９４】
なお、第２実施形態では、ユーザ端末２０１がＷｅｂサーバ２０３に送信する更新データの要求に表示ログを含むものとして説明したが、さらにユーザを特定するユーザＩＤ等のユーザ識別情報を含んでもよい。そして、Ｗｅｂサーバにおいて、更新データＤＢ３６の他にユーザごとの表示ログのキー情報を記憶するユーザＤＢ（図示せず）を有して、受信したユーザＩＤと、表示ログに対応するコンテンツ番号とを対応付けて記憶させてもよい。このようにすることで、あるユーザが異なるユーザ端末を用いた場合であっても、Ｗｅｂシステムが適切に更新された新しいニュース記事をユーザ端末に表示させることができる。
【００９５】
また、第２実施形態では、ユーザ端末２０１が受信した更新データに基づいてＷｅｂページを生成しており、新しいニュース記事のみが表示されるものとしているが、これに限らない。ユーザ端末２０１は、受信した更新データの記事日時と、表示ログＤＢ２１に記憶された表示ログの記事日時との両方のデータを記事日時の新しい順番に並べ替えて、常に最新のニュース記事を表示させるようにしてもよい。
【００９６】
（変形形態）
各実施形態は、ページに関してＷｅｂページを例に説明したが、これに限定されない。例えば、ページは、Ｆｌａｓｈ（登録商標）（Ａｄｏｂｅ  Ｆｌａｓｈ）コンテンツであってもよい。
【００９７】
各実施形態において、Ｗｅｂシステムは、ユーザＩＤ等のユーザを識別する情報を用いずに行うものであったが、ユーザＩＤを用いて、表示ログＤＢではユーザＩＤごとに表示ログを記憶するようにしてもよい。このようにすることで、ユーザ端末は、ユーザ端末が複数人での共有である場合でも、各ユーザの状況に応じたページを表示することができる。
【００９８】
各実施形態において、表示ログＤＢは、ニュース記事そのものを記憶するものとしたが、これに限定されない。例えば、ニュース記事そのものに代わって、ニュース記事に対応付けられた記号であるコンテンツＩＤを記憶してもよい。このようにすることで、ユーザ端末とＷｅｂサーバとの間の通信でのデータ量を削減して、通信に要する時間を抑えることができる。
【００９９】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【０１００】
１，２０１  ユーザ端末
３，２０３  Ｗｅｂサーバ
１０，３０，２１０，２３０  制御部
１１    Ｗｅｂページ要求送信手段
１２，２１２  Ｗｅｂページ受信手段
１３    Ｗｅｂページ表示手段
１４    更新表示要求受付手段
１５    表示ログ読出手段
１６    更新内容表示手段
１７    表示ログ書込手段
２０，３５  記憶部
２１    表示ログＤＢ
３１    Ｗｅｂページ要求受信手段
３２，２３２  Ｗｅｂページ送信手段
３６    更新データＤＢ
４４    更新表示ボタン
１００，２００  Ｗｅｂシステム
２１８  更新データ要求送信手段
２１９  更新データ受信手段
２３３  更新データ要求受信手段
２３４  更新データ送信手段
【図１】
2011180647.tif 000003
【図２】
2011180647.tif 000004
【図３】
2011180647.tif 000005
【図４】
2011180647.tif 000006
【図５】
2011180647.tif 000007
【図６】
2011180647.tif 000008
【図７】
2011180647.tif 000009